(57)【要約】【課題】熱交換器を通過する空気の流れにおいて、偏流を緩和することができる空気調和機を提供する。【解決手段】空気調和機は、ケーシングと、フィルター３ａと、室内熱交換器４と、第１段差部３１ａ，３１ｂと、ベルマウスと、ターボファンである送風装置とを備える。ケーシングは、フラットパネル部２０と、フラットパネル部２０の周囲に設けられる吸い込み口と、吹出し口とを有する。フィルター３ａは、フラットパネル部２０に対向して配置される。室内熱交換器４は、フィルター３ａに対向してフィルター３ａの下流に配置される。第１段差部３１ａ，３１ｂは、室内熱交換器４の端部近傍において室内熱交換器４の上流側の表面に対して段差が生じるように設けられた部分である。ベルマウスは、室内熱交換器４の下流において室内熱交換器４と対向して配置される空気導入口を有する。ターボファンは、ベルマウスの下流に配置され、吸込み口から吸い込まれ吹出し口から吹き出される空気の流れを生成する。【選択図】図４
2007183017.tif 000002
【特許請求の範囲】
【請求項１】
正面パネル部（２０）と、前記正面パネル部（２０）の周囲に設けられ室内から吸い込まれる空気が通る吸込み口（８，９）と、室内へ吹き出される空気が通る吹出し口（６，７）とを有するケーシング（２）と、
前記正面パネル部（２０）に対向して配置され空気を透過させるフィルター（３ａ）と、
前記フィルター（３ａ）に対向して前記フィルター（３ａ）の下流に配置され通過する空気との間で熱交換を行う熱交換器（４）と、
前記熱交換器（４）の端部近傍において前記熱交換器（４）の上流側の表面に対して段差が生じるように設けられた第１段差部（３１ａ，３１ｂ）と、
前記熱交換器（４）の下流において前記熱交換器（４）と対向して配置される空気導入口（１４）を有し、前記熱交換器（４）を通った空気を案内するベルマウス（１３）と、
前記ベルマウス（１３）の下流に配置され、前記吸込み口（８，９）から吸い込まれ前記吹出し口（６，７）から吹き出される空気の流れを生成するターボファン（５）と、
を備える空気調和機（１）。
【請求項２】
前記第１段差部（３１ａ，３１ｂ）は、前記フィルター（３ａ）が取り付けられる取付部（３０ａ，３０ｂ）を有する、
請求項１に記載の空気調和機（１）。
【請求項３】
前記ケーシング（２）は、前記正面パネル部（２０）が取り付けられ前記熱交換器（４）の周囲を覆う正面グリル（２４）をさらに有し、
前記第１段差部（３１ａ，３１ｂ）は、前記正面グリル（２４）に一体的に設けられている、
請求項１または２に記載の空気調和機（１）。
【請求項４】
前記正面パネル部（２０）から前記フィルター（３ａ）に向かって突出するように設けられた第２段差部（３２ａ，３２ｂ）をさらに備える、
請求項１から３のいずれかに記載の空気調和機（１）。
【請求項５】
前記第２段差部（３２ａ，３２ｂ）は、前記第１段差部（３１ａ，３１ｂ）よりも前記熱交換器（４）の中心側に設けられている、
請求項４に記載の空気調和機（１）。
【請求項６】
前記ケーシング（２）は、前記正面パネル部（２０）が取り付けられ前記熱交換器（４）の周囲を覆う正面グリル（２４）をさらに有し、
前記正面グリル（２４）から前記正面パネル部（２０）に向かって突出するように設けられた第３段差部（３３ａ，３３ｂ）をさらに備える、
請求項１に記載の空気調和機（１）。
【請求項７】
前記フィルター（３ａ）から前記正面パネル部（２０）又は前記熱交換器（４）に向かって突出する第４段差部（３４ａ，３４ｂ）をさらに備える、
請求項１に記載の空気調和機（１）。
【発明の詳細な説明】
【技術分野】
【０００１】
本発明は、空気調和機に関する。
【背景技術】
【０００２】
従来、空気調和機において、ターボファンを駆動することによって、吸込み口から吸い込まれ吹出し口から吹き出される空気の流れを生成するものがある（特許文献１参照）。ターボファンは、ファンロータの回転軸方向から空気を吸い込み、遠心方向に空気を吹き出す。ターボファンから吹き出された空気は、吹出し口から室内へと吹き出される。
【特許文献１】特開２００２−１９５６４２号公報
【発明の開示】
【発明が解決しようとする課題】
【０００３】
ところで、上記のようなターボファンを備えた空気調和機において、ターボファンに対向して正面パネル部を設け、正面パネル部の周囲に吸込み口を設けることが考えられる。この空気調和機では、正面パネル部とターボファンとの間に、フィルターと熱交換器とベルマウスとが配置され、フィルターと熱交換器とを通った空気がベルマウスの空気導入口からターボファンへと送られる。そして、ターボファンから吹き出された空気は、吹出し口から外部へと吹き出される。
【０００４】
この空気調和機では、吸込み口から吸い込まれた室内の空気は、フィルターおよび熱交換器を通った後に、ベルマウスの空気導入口からターボファンへと送られる。この場合、空気の流速は空気導入口の周縁近傍において大きくなり易く、空気導入口の周縁近傍を流れる空気の流量が多くなる。このため、熱交換器を通過する空気の流れに偏りが生じ易くなり、熱交換の効率が低下する恐れがある。
【０００５】
本発明の課題は、熱交換器を通過する空気の流れにおいて、偏流を緩和することができる空気調和機を提供することにある。
【課題を解決するための手段】
【０００６】
第１発明に係る空気調和機は、ケーシングと、フィルターと、熱交換器と、第１段差部と、ベルマウスと、ターボファンとを備える。ケーシングは、正面パネル部と、正面パネル部の周囲に設けられ室内から吸い込まれる空気が通る吸込み口と、室内へ吹き出される空気が通る吹出し口とを有する。フィルターは、正面パネル部に対向して配置され空気を透過させる。熱交換器は、フィルターに対向してフィルターの下流に配置され通過する空気との間で熱交換を行う。第１段差部は、熱交換器の端部近傍において熱交換器の上流側の表面に対して段差が生じるように設けられた部分である。ベルマウスは、熱交換器の下流において熱交換器と対向して配置される空気導入口を有し、熱交換器を通った空気を案内する。ターボファンは、ベルマウスの下流に配置され、吸込み口から吸い込まれ吹出し口から吹き出される空気の流れを生成する。
【０００７】
この空気調和機では、第１段差部によって、熱交換器の端部近傍において熱交換器の上流側の表面に対して段差が設けられる。このため、吸込み口から吸い込まれ熱交換器を透過する直前の空気がこの段差を通ることにより、空気の流れに渦が生じる。この空気調和機では、このように空気の流れに敢えて渦を生じさせることによって、空気導入口の周縁近傍への空気の流れの集中を緩和することができる。これにより、熱交換器を通過する空気の流れにおいて、偏流を緩和することができる。
【０００８】
第２発明に係る空気調和機は、第１発明の空気調和機であって、第１段差部はフィルターが取り付けられる取付部を有している。
この空気調和機では、第１段差部の取付部にフィルターが取り付けられる。このため、第１段差部は、フィルターの取り付け用の部材を兼ねており、部品点数を削減することができる。
【０００９】
第３発明に係る空気調和機は、第１発明または第２発明の空気調和機であって、ケーシングは、正面パネル部が取り付けられ熱交換器の周囲を覆う正面グリルをさらに有する。そして、第１段差部は、正面グリルに一体的に設けられている。
この空気調和機では、第１段差部は正面グリルに一体的に設けられる。正面グリルは熱交換器の周囲を覆う部材であるため、第１段差部を熱交換器の端部近傍に容易に配置することができる。
【００１０】
第４発明に係る空気調和機は、第１発明から第３発明のいずれかの空気調和機であって、正面パネル部からフィルターに向かって突出するように設けられた第２段差部をさらに備える。
この空気調和機では、第２段差部によって正面パネル部に段差が設けられる。このため、熱交換器の端部近傍を通る空気の流れだけではなく、正面パネルに沿って進む空気の流れにも渦を生じさせることができる。これにより、この空気調和機では、熱交換器を通過する空気の流れにおいて、偏流をより緩和することができる。
【００１１】
第５発明に係る空気調和機は、第４発明の空気調和機であって、第２段差部は、第１段差部よりも熱交換器の中心側に設けられている。
この空気調和機では、第１段差部よりも熱交換器の中心側において渦を生じさせることができる。このため、熱交換器の端部近傍においては第１段差部によって渦を生じさせ、熱交換器の中心側では第２段差部によって渦を生じさせることができる。これにより、この空気調和機では、熱交換器を通過する空気の流れにおいて、偏流をより緩和することができる。
【００１２】
第６発明に係る空気調和機は、第１発明の空気調和機であって、ケーシングは、正面パネル部が取り付けられ熱交換器の周囲を覆う正面グリルをさらに有する。そして、この空気調和機は、正面グリルから正面パネル部に向かって突出するように設けられた第３段差部をさらに備える。
この空気調和機では、第３段差部によって正面グリルに段差が設けられる。このため、熱交換器の端部近傍を通る空気の流れだけではなく、正面グリルに沿って進む空気の流れにも渦を生じさせることができる。これにより、この空気調和機では、熱交換器を通過する空気の流れにおいて、偏流をより緩和することができる。
【００１３】
第７発明に係る空気調和機は、第１発明の空気調和機であって、フィルターから正面パネル部又は熱交換器に向かって突出する第４段差部をさらに備える。
この空気調和機では、第４段差部によってフィルターに段差が設けられる。このため、熱交換器の端部近傍を通る空気の流れだけではなく、フィルターに沿って進む空気の流れにも渦を生じさせることができる。これにより、この空気調和機では、熱交換器を通過する空気の流れにおいて、偏流をより緩和することができる。
【発明の効果】
【００１４】
第１発明に係る空気調和機では、第１段差部によって、熱交換器の端部近傍において熱交換器の上流側の表面に対して段差が設けられる。このため、吸込み口から吸い込まれ熱交換器を透過する直前の空気がこの段差を通ることにより、空気の流れに渦が生じる。この空気調和機では、このように空気の流れに敢えて渦を生じさせることによって、空気導入口の周縁近傍への空気の流れの集中を緩和することができる。これにより、熱交換器を通過する空気の流れにおいて、偏流を緩和することができる。
【００１５】
第２発明に係る空気調和機では、第１段差部の取付部にフィルターが取り付けられる。このため、第１段差部は、フィルターの取り付け用の部材を兼ねており、部品点数を削減することができる。
第３発明に係る空気調和機では、第１段差部は正面グリルに一体的に設けられる。正面グリルは熱交換器の周囲を覆う部材であるため、第１段差部を熱交換器の端部近傍に容易に配置することができる。
【００１６】
第４発明に係る空気調和機では、熱交換器の端部近傍を通る空気の流れだけではなく、正面パネルに沿って進む空気の流れにも渦を生じさせることができる。これにより、この空気調和機では、熱交換器を通過する空気の流れにおいて、偏流をより緩和することができる。
第５発明に係る空気調和機では、熱交換器の端部近傍においては第１段差部によって渦を生じさせ、熱交換器の中心側では第２段差部によって渦を生じさせることができる。これにより、この空気調和機では、熱交換器を通過する空気の流れにおいて、偏流をより緩和することができる。
【００１７】
第６発明に係る空気調和機では、熱交換器の端部近傍を通る空気の流れだけではなく、正面グリルに沿って進む空気の流れにも渦を生じさせることができる。これにより、この空気調和機では、熱交換器を通過する空気の流れにおいて、偏流をより緩和することができる。
第７発明に係る空気調和機では、熱交換器の端部近傍を通る空気の流れだけではなく、フィルターに沿って進む空気の流れにも渦を生じさせることができる。これにより、この空気調和機では、熱交換器を通過する空気の流れにおいて、偏流をより緩和することができる。
【発明を実施するための最良の形態】
【００１８】
＜第１実施形態＞
本発明の一実施形態に係る空気調和機１を図１から図３に示す。図１は、空気調和機１の前面図（正面図）であり、図２は、空気調和機１の側面図である。また、図３は、空気調和機１の側面断面図である。この空気調和機１は、床置き型の室内機であり、ケーシング２と、フィルター３ａと、室内熱交換器４と、送風装置５とを備える。なお、以下の説明において、上下左右という場合は、空気調和機１の前面視における上下左右を意味している。
【００１９】
〔ケーシング２〕
〈ケーシング２の全体構成〉
ケーシング２は、合成樹脂製の中空の筐体からなり、フィルター３ａ、室内熱交換器４、ベルマウス１３、送風装置５を内部に収納している。ケーシング２には、第１吹出し口６、第２吹出し口７、第１吸込み口８，第２吸込み口９、第３吸込み口１０、第４吸込み口１１が設けられている。
【００２０】
第１吹出し口６と第２吹出し口７とはケーシング２の前面に設けられている。第１吹出し口６は、ケーシング２の前面の上端に沿って設けられた横長形状の開口であり、室内へ吹き出される空気が通る。第２吹出し口７は、ケーシング２の前面の下端に沿って設けられた横長形状の開口であり、室内へ吹き出される空気が通る。なお、第１吹出し口６には、第１吹出し口６から吹き出される空気を案内する第１フラップ６１が回動自在に設けられており、第１フラップ６１によって第１吹出し口６を開閉することができる。また、第２吹出し口７には、第２吹出し口７から吹き出される空気を案内する第２フラップ６２が回動自在に設けられている。
【００２１】
第１吸込み口８と第２吸込み口９とは、ケーシング２の側面に設けられている。第１吸込み口８は、ケーシング２の右側面の前端に沿って設けられた縦長形状の開口であり、室内からケーシング２の内部に吸い込まれる空気が通る。第２吸込み口９は、ケーシング２の左側面の前端に沿って設けられた縦長形状の開口であり、室内からケーシング２の内部に吸い込まれる空気が通る。
【００２２】
第３吸込み口１０と第４吸込み口１１とはケーシング２の前面に設けられている。第３吸込み口１０は、第１吹出し口６の下方に設けられた横長形状の開口であり、室内からケーシング２の内部に吸い込まれる空気が通る。第４吸込み口１１は、第２吹出し口７の上方に設けられた横長形状の開口であり、室内からケーシング２の内部に吸い込まれる空気が通る。また、ケーシング２の前面のうち第３吸込み口１０と第４吸込み口１１との間には、開口が設けられていない平坦なフラットパネル部２０が設けられている。
【００２３】
なお、ケーシング２は、ケーシング本体２１と、ケーシング本体２１の前面に着脱自在に取り付けられる前面パネル２２とを有しており、第２吹出し口７と、第１吸込み口８、第２吸込み口９、第３吸込み口１０、第４吸込み口１１は、前面パネル２２に設けられている。なお、第１吹出し口６は本体ケーシング２１に設けられている。
〈前面パネル２２〉
前面パネル２２は、ケーシング本体２１の前面よりも小さな外形を有しており、前面視において、第１吹出し口６の下方に配置されている。第３吸込み口１０は、前面パネル２２の上端近傍に配置されており、第２吹出し口７は、前面パネル２２の下端近傍に配置されている。なお、第４吸込み口１１は上述したように第２吹出し口７の上方に設けられている。また、前面パネル２２の前面は、ケーシング本体２１の前面から前方に僅かな距離を隔てて配置されており、前面パネル２２の前面側端部とケーシング本体２１の前面とを繋ぐ前面パネル２２の側面に、第１吸込み口８および第２吸込み口９が設けられている。また、前面パネル２２の前面上端部とケーシング本体２１の前面とを繋ぐ前面パネル２２の上面と、前面パネル２２の前面下端とケーシング本体２１の前面とを繋ぐ前面パネル２２の下面とは閉じられている。なお、第３吸込み口１０は、前面パネル２２の前面ではなく、前面パネル２２の上面に設けられてもよい。
【００２４】
以上のように、ケーシング２には、前面パネル２２のフラットパネル部２０の周囲の上下左右４方向には、それぞれ第３吸込み口１０から第２吸込み口９が配置されており、フラットパネル部２０の上下左右４方向から空気が吸い込まれる。
〈ケーシング本体２１〉
ケーシング本体２１は、前面が大きく開口しており、ケーシング本体２１の内部には、フィルター３ａ、室内熱交換器４、ベルマウス１３、送風装置５が、ケーシング本体２１の前面の開口に対向して、前方から後方に向けて順に配置されている。ケーシング本体２１は、図２に示すように、後部ケーシング２３と前面グリル２４とを有している。
【００２５】
後部ケーシング２３は、室内熱交換器４、ベルマウス１３、送風装置５が取り付けられる部材である。
前面グリル２４は、後部ケーシング２３の前面を覆うように取り付けられ、室内熱交換器４の周囲を覆う部材である。前面グリル２４の前面と後面とは大きく開口しており、前面グリル２４は後面の開口から後部ケーシング２３に被せられる。また、前面グリル２４の前面には、フィルター３ａおよび前面グリル２４が取り付けられ、前面グリル２４の前面の開口が閉じられる。なお、第１吹出し口６は、前面グリル２４の前面上部に設けられる。
【００２６】
また、図４に示すように、前面グリル２４の前面の開口の両側縁部には、それぞれ第１段差部３１ａ，３１ｂが一体的に設けられている。なお、図４は、室内熱交換機４近傍の構成を示す上面断面図である。第１段差部３１ａ，３１ｂは、室内熱交換器４の側端部に沿ってそれぞれ配置された細長形状の部材であり、室内熱交換器４の各側端部近傍において室内熱交換器４の上流側の表面、すなわち室内熱交換器４の前面に対して段差が生じるように設けられている。この段差の大きさは、例えば、５ｍｍ以上である。また、第１段差部３１ａ，３１ｂの前面にはフィルター３ａが取り付けられる取付部３０ａ，３０ｂが設けられている。
【００２７】
〈ケーシング２内部の空気通路〉
ケーシング２の内部には、図３に示すように、吸い込み通路Ｐ１と吹き出し通路Ｐ２，Ｐ３とが形成されている。
吸い込み通路Ｐ１は、前面パネル２２の後方に形成されており、第１吸込み口８、第２吸込み口９、第３吸込み口１０、第４吸込み口１１から吸い込まれた空気をベルマウス１３の空気導入口１４まで案内する。吸い込み通路Ｐ１には、フィルター３ａ、室内熱交換器４が配置されている。
【００２８】
吹き出し通路Ｐ２，Ｐ３は、室内熱交換器４の下流において室内熱交換器４と対向して配置されるベルマウス１３の空気導入口１４（後述）から第１吹出し口６および第２吹出し口７まで案内する通路であり、第１吹き出し通路Ｐ２と第２吹き出し通路Ｐ３とを有する。第１吹き出し通路Ｐ２は、空気導入口１４から後方へ向かい送風装置５のファンカバー５３（後述）の内部を通って第１吹出し口６に繋がる通路である。第２吹き出し通路Ｐ３は、空気導入口１４から後方へ向かいファンカバー５３の内部を通って第２吹出し口７に繋がる通路である。
【００２９】
〔フィルター３ａ〕
フィルター３ａは、フラットパネル部２０の後方においてフラットパネル部２０に対向して配置されており、ケーシング本体２１の前面の開口を覆うように取り付けられている。フィルター３ａは、吸い込み通路Ｐ１を通る空気の流れにおいて、各吸込み口８−１１の下流に位置している。フィルター３ａは、各吸込み口８−１１から吸い込まれた空気を後方に透過させ、透過する空気を清浄化する。
【００３０】
〔室内熱交換器４〕
室内熱交換器４は、図示しない室外熱交換器と共に冷媒回路を構成しており、通過する空気との間で熱交換を行う。室内熱交換器４は、フィルター３ａの後方にフィルター３ａに対向して配置されており、吸い込み通路Ｐ１を通る空気の流れにおいて、フィルター３ａの下流に位置している。室内熱交換器４は、薄い板状の外形を有しており、前面視においてフィルター３ａと同程度の大きさを有する。室内熱交換器４は、フラットパネル部２０に平行に設けられている。
【００３１】
〔送風装置５〕
送風装置５は、室内熱交換器４の後方において室内熱交換器４に対向して配置されている。送風装置５は、吸い込み通路Ｐ１および吹き出し通路Ｐ２，Ｐ３を通る空気の流れにおいて、室内熱交換器４の下流に位置している。また、送風装置５は、遠心方向に風を吹き出す遠心ファンの一種であるターボファンであり、各吸込み口８−１１から吸い込まれ各吹出し口６，７から吹き出される空気の流れを生成する。送風装置５は、ファンロータ５１、ファンモータ５２、ファンカバー５３を有している。
【００３２】
ファンロータ５１は、回転軸ＡＸ１が前後方向に水平になるように配置されており、回転軸ＡＸ１から螺旋を描きながら離れるように配置された複数枚の羽根を有している。
ファンモータ５２は、ファンロータ５１を回転駆動する駆動源であり、ファンロータ５１の後方に配置される。
ファンカバー５３は、ファンロータ５１の前方に配置される部材であり、空気導入口１４から吹き出される空気をファンロータ５１に案内する。ファンカバー５３の前面には、ファンカバー５３内に取り込まれる空気が通る開口が設けられている。ファンカバー５３の前面の開口を通った空気は、ファンロータ５１によって遠心方向に吹き出されることにより上下に分岐し、第１吹出し口６および第２吹出し口７から室内に吹き出される。
【００３３】
〔ベルマウス１３〕
ベルマウス１３は、室内熱交換器４と送風装置５との間に設けられており、吸い込み通路Ｐ１と吹き出し通路Ｐ２，Ｐ３とを仕切る部材である。ベルマウス１３は、平坦部１５と円管部１６とを有している。平坦部１５は、前面視において室内熱交換器４と同程度の大きさの外形を有しており、室内熱交換器４の後面に対向して室内熱交換器４と平行に設けられている。平坦部１５には、上述した空気導入口１４が設けられており、平坦部１５の空気導入口１４の周縁に円管部１６の前端が繋がっている。なお、円管部１６は前端側が拡径するように湾曲しており、空気導入口１４の周縁と緩やかに繋がっている。また、円管部１６の後端は、ファンカバー５３の前面の開口を通ってファンカバー５３の内部に入り込んでいる。これにより、ベルマウス１３は、室内熱交換器４から送風装置５へ向かう空気を案内する。なお、空気導入口１４は、前面視において室内熱交換器４よりも小さな外形を有しており、円管部１６も前面視において室内熱交換器４よりも小さな外形を有している。
【００３４】
＜特徴＞
（１）
この空気調和機１では、第１段差部３１ａ，３１ｂによって、室内熱交換器４の端部近傍において室内熱交換器４の上流側の表面に対して段差が設けられる。このため、第１吸込み口８および第２吸込み口９から吸い込まれフィルター３ａおよび室内熱交換器４を透過する直前の空気がこの段差の近傍を通ることにより、空気の流れに渦が生じる。
【００３５】
この空気調和機１では、上記のように空気の流れに敢えて渦を生じさせることによって、空気導入口１４の周縁近傍への空気の流れの集中を緩和することができる。これにより、室内熱交換器４を通過する空気の流れにおいて、偏流を緩和することができる。
（２）
この空気調和機１では、第１段差部３１ａ，３１ｂは前面グリル２４の前面の開口の側縁部に一体的に設けられているため、第１段差部３１ａ，３１ｂを室内熱交換器４の側端部近傍に容易に配置することができる。
【００３６】
また、第１段差部３１ａ，３１ｂは、室内熱交換器４の側端部近傍であり且つ室内熱交換器４の上流側に配置されるため、フィルター３ａの取付位置として適している。このため、第１段差部３１ａ，３１ｂに取付部３０ａ，３０ｂを設けることによって、第１段差部３１ａ，３１ｂをフィルター３ａの取付部材として兼用することができ、部品点数を削減することができる。
【００３７】
＜第２実施形態＞
上記の第１実施形態における第１段差部３１ａ，３１ｂに加えて、さらに図５に示す第２段差部３２ａ，３２ｂが設けられてもよい。この第２段差部３２ａ，３２ｂは、フラットパネル部２０からフィルター３ａに向かって突出するように設けられており、第１段差部３１ａ，３１ｂよりも室内熱交換器４の左右方向における中心側に設けられている。なお、第２段差部３２ａ，３２ｂは、左右対称にそれぞれ設けられている。
【００３８】
この空気調和機１では、第２段差部３２ａ，３２ｂによってフラットパネル部２０のフィルター３ａに面する表面に段差が設けられる。このため、室内熱交換器４の端部近傍を通る空気の流れだけではなく、フラットパネル部２０に沿ってフラットパネル部２０とフィルター３ａとの間の空間を進む空気の流れにも渦を生じさせることができる。これにより、この空気調和機１では、室内熱交換器４を通過する空気の流れにおいて、偏流をより緩和することができる。
【００３９】
＜第３実施形態＞
上記の第１実施形態における第１段差部３１ａ，３１ｂに加えて、さらに図６に示す第３段差部３３ａ，３３ｂが設けられてもよい。この第３段差部３３ａ，３３ｂは、前面グリル２４の前面からフラットパネル部２０に向かって突出するように設けられている。前面グリル２４の前面の開口の側縁部には第１段差部３１ａ，３１ｂが設けられており、第３段差部３３ａ，３３ｂは第１段差部３１ａ，３１ｂの側方であって空気の流れの上流側に設けられる。なお、第３段差部３３ａ，３３ｂは、左右対称にそれぞれ設けられている。
【００４０】
この空気調和機１では、第１吸込み口８から吸い込まれた空気は、まず、前面グリル２４の前面とフラットパネル部２０との間の空間を進み、第３段差部３３ａ，３３ｂ近傍を通過する際に渦を生じさせる。次に、室内熱交換器４の側端部に近づき第１段差部３１ａ，３１ｂ近傍を通過する際にも渦を生じさせる。このように、この空気調和機１では、室内熱交換器４の側端部を通るときだけではなく、前面グリル２４に沿って進むときにも渦を生じさせることができる。これにより、この空気調和機１では、室内熱交換器４を通過する空気の流れにおいて、偏流をより緩和することができる。
【００４１】
＜第４実施形態＞
上記の第１実施形態における第１段差部３１ａ，３１ｂに加えて、さらに図７に示す第４段差部３４ａ，３４ｂが設けられてもよい。この第４段差部３４ａ，３４ｂは、フィルター３ａからフラットパネル部２０に向かって突出するように設けられている。第４段差部３４ａ，３４ｂは、第１段差部３１ａ，３１ｂよりも室内熱交換器４の左右方向の中心側に設けられている。なお、第４段差部３４ａ，３４ｂは、左右対称に２カ所に設けられる。
【００４２】
この空気調和機１では、第４段差部３４ａ，３４ｂによってフィルター３ａのフラットパネル部２０側の面に段差が設けられる。このため、室内熱交換器４の端部近傍を通る空気の流れだけではなく、フラットパネル部２０に沿ってフラットパネル部２０とフィルター３ａとの間の空間を進む空気の流れにも渦を生じさせることができる。これにより、この空気調和機１では、室内熱交換器４を通過する空気の流れにおいて、偏流をより緩和することができる。
【００４３】
なお、第４段差部３４ａ，３４ｂは、フィルター３ａの室内熱交換器４側の面に設けられてもよい。
＜他の実施形態＞
（１）
上記の実施形態では、床置き型の空気調和機１に本発明が適用されているが、壁掛け型や天井設置型などの他の形式の空気調和機に適用されてもよい。
【００４４】
（２）
上記の実施形態において、第１段差部３１ａ，３１ｂは、階段状の形状に限られるものではなく突起であってもよい。他の段差部についても同様である。
（３）
上記の実施形態では、第１段差部３１ａ，３１ｂは、前面グリル２４の開口の側縁部に設けられているが、フラットパネル部２０の上下方向から吸い込まれる空気に関して偏流を緩和する観点からは、前面グリル２４の開口の上縁部や下縁部に設けられてもよい。
【００４５】
（４）
上記の実施形態では、第１段差部３１ａ，３１ｂによる段差の大きさは５ｍｍ以上であるが、１０ｍｍ以上であってもよい。
【産業上の利用可能性】
【００４６】
本発明は、熱交換器を通過する空気の流れにおいて、偏流を緩和することができる効果を有し、空気調和機として有用である。
【図面の簡単な説明】
【００４７】
【図１】空気調和機１の前面図。
【図２】空気調和機１の側面図。
【図３】空気調和機１の側面断面図。
【図４】第１実施形態に係る室内熱交換器４近傍の構成を示す上面断面図。
【図５】第２実施形態に係る室内熱交換器４近傍の構成を示す上面断面図。
【図６】第３実施形態に係る室内熱交換器４近傍の構成を示す上面断面図。
【図７】第４実施形態に係る室内熱交換器４近傍の構成を示す上面断面図。
【符号の説明】
【００４８】
１              空気調和機
２              ケーシング
３ａ            フィルター
４              室内熱交換器４（熱交換器）
５              送風装置（ターボファン）
６              第１吹出し口（吹出し口）
７              第２吹出し口（吹出し口）
８              第１吸込み口（吸込み口）
９              第２吸込み口（吸込み口）
１４            空気導入口
１３            ベルマウス
２０            フラットパネル部（正面パネル部）
２４            前面グリル（正面グリル）
３０ａ，３０ｂ  取付部
３１ａ，３１ｂ  第１段差部
３２ａ，３２ｂ  第２段差部
３３ａ，３３ｂ  第３段差部
３４ａ，３４ｂ  第４段差部
【図１】
2007183017.tif 000003
【図２】
2007183017.tif 000004
【図３】
2007183017.tif 000005
【図４】
2007183017.tif 000006
【図５】
2007183017.tif 000007
【図６】
2007183017.tif 000008
【図７】
2007183017.tif 000009